(57)【要約】【課題】高速の処理速度と正確さを持った画像調整の装置およびその方法を提供する。【解決手段】複数の組の入力信号を受信するのに使用される映像インターフェイスから送信された一組の入力信号を受信するための画像調整装置を提供する。本画像調整装置は、さらに、前記入力信号の組を自動的に調整して一組の出力信号を生成する。本画像調整装置は、動作モジュールと記憶モジュールとオフセットモジュールと利得モジュールを含んでいる。動作モジュールは、試験用画像を受信して複数の調整用信号を生成する。記憶モジュールは、調整用信号記憶する。オフセットモジュールは、調整用信号によって入力信号の組を一組の仮の信号に変換する。さらに、利得モジュールは、複数の調整用信号によって仮の信号の組を出力信号の組に変換する。【選択図】図２
2005323354.tif 000002
【特許請求の範囲】
【請求項１】
複数の組の入力信号を受信するのに使用される映像インターフェイスから送信された一組の入力信号を受信するための画像調整装置において、該画像調整装置は、さらに、前記入力信号の組を自動的に調整して一組の出力信号を生成するのに使用され、前記画像調整装置は、
試験用画像を受信して複数の調整用信号を生成するための動作モジュールと、
前記複数の調整用信号を記憶するための記憶モジュールと、
前記複数の調整用信号によって入力信号の組を一組の仮の信号に変換するためのオフセットモジュールと、
複数の調整用信号によって前記仮の信号の組を出力信号の組に変換するための利得モジュールと
を備えることを特徴とする装置。
【請求項２】
前記動作モジュールは、前記試験用画像をヒストグラムに変換し、ヒストグラムの濃度レベル分布によって複数の調整用信号を生成することを特徴とする請求項１記載の装置。
【請求項３】
前記複数の調整用信号には、複数のオフセット信号と複数の利得信号とが含まれることを特徴とする請求項２記載の装置。
【請求項４】
前記記憶モジュールは、オフセットデータテーブルと利得データテーブルを備え、前記オフセットデータテーブルは、複数のオフセット信号を記憶するのに使用され、前記利得データテーブルは、複数の利得信号を記憶するのに使用されることを特徴とする請求項３記載の装置。
【請求項５】
前記オフセットモジュールは、オフセットデータテーブルに接続され、複数のオフセット信号に従って、入力信号の組を仮の信号の組へ変換することを特徴とする請求項４記載の装置。
【請求項６】
前記利得モジュールは、利得データテーブルに接続され、複数の利得信号に従って、仮の信号の組を出力信号の組に変換することを特徴とする請求項４記載の装置。
【請求項７】
複数の組の入力信号を受信するのに使用される映像インターフェイスから送信された一組の入力信号を受信するための画像調整装置において、該画像調整装置は、さらに、前記入力信号の組を自動的に調整して一組の出力信号を生成するのに使用され、前記画像調整装置は、
試験用画像を受信して複数の調整用信号を生成するための動作モジュールと、
前記複数の調整用信号を記憶するための記憶モジュールと、
前記複数の調整用信号によって前記入力信号の組を一組の第１の仮の信号に変換するための第１オフセットモジュールと、
前記複数の調整用信号によって前記第１の仮の信号の組を一組の第２の仮の信号に変換するための利得モジュールと
前記複数の調整用信号によって前記第２の仮の信号の組を出力信号の組に変換するための第２オフセットモジュールと、
を備えることを特徴とする装置。
【請求項８】
前記動作モジュールは、前記試験用画像をヒストグラムに変換し、ヒストグラムの濃度レベル分布に従って複数の調整用信号を生成することを特徴とする請求項７記載の装置。
【請求項９】
前記複数の調整用信号には、複数の第１オフセット信号と複数の第２オフセット信号と複数の利得信号とが含まれることを特徴とする請求項８記載の装置。
【請求項１０】
前記記憶モジュールは、第１オフセットデータテーブルと第２オフセットデータテーブルと利得データテーブルを備え、前記第１オフセットデータテーブルは、複数の第１オフセット信号を記憶するのに使用され、前記第２オフセットデータテーブルは、複数の第２オフセット信号を記憶するのに使用され、前記利得データテーブルは、複数の利得信号を記憶するのに使用されることを特徴とする請求項９記載の装置。
【請求項１１】
前記第１オフセットモジュールは、第１オフセットデータテーブルに接続され、前記入力信号の組を、複数の第１オフセット信号に従って第１の仮の信号の組に変換することを特徴とする請求項１０記載の装置。
【請求項１２】
前記利得モジュールは、利得データテーブルに接続され、前記第１の仮の信号の組を、複数の利得信号に従って第２の仮の信号の組に変換することを特徴とする請求項１０記載の装置。
【請求項１３】
前記第２のオフセットモジュールは、第２オフセットデータテーブルに接続され、前記第２の仮の信号の組を、複数の第２オフセット信号に従って出力信号の組に変換することを特徴とする請求項１０記載の装置。
【請求項１４】
入力信号の複数の組を受信するのに使用される映像インターフェイスから送信された一組の入力信号を受信するための画像調整方法において、前記画像調整方法は、さらに、入力信号の組を自動的に調整して、一組の出力信号を生成するのに使用され、前記方法は、
（ａ）試験用画像を受信し、該試験用画像に基づいて、複数の調整用信号を生成する段階と、
（ｂ）前記複数の調整用信号を記憶する段階と、
（ｃ）前記複数の調整用信号に従って、前記入力信号の組を一組の仮の信号に変換する段階と、
（ｄ）前記複数の調整用信号に従って、前記仮の信号の組を一組の出力信号に変換する段階と
を備えることを特徴とする方法。
【請求項１５】
前記段階（ａ）は、
（ａ１）前記試験用画像をヒストグラムに変換する段階と、
（ａ２）前記ヒストグラムの濃度レベル分布に従って複数の調整用信号を生成する段階と
を備えることを特徴とする請求項１４記載の方法。
【請求項１６】
前記複数の調整用信号は、複数のオフセット信号と複数の利得信号とを備えることを特徴とする請求項１５記載の方法。
【請求項１７】
前記複数のオフセット信号は、オフセットデータテーブル内に記憶され、前記複数の利得信号は、利得データテーブル内に記憶されることを特徴とする請求項１６記載の方法。
【請求項１８】
前記段階（ｃ）において、前記入力信号の組は、前記オフセットデータテーブル内に記憶された複数のオフセット信号に従って、仮の信号の組に変換されることを特徴とする請求項１７記載の方法。
【請求項１９】
前記段階（ｄ）において、前記仮の信号の組は、利得データテーブル内に記憶された複数の利得信号に従って、出力信号の組に変換されることを特徴とする請求項１７記載の方法。
【請求項２０】
入力信号の複数の組を受信するのに使用される映像インターフェイスから送信された一組の入力信号を受信するための画像調整方法において、前記画像調整方法は、さらに、自動的に調整して一組の出力信号を生成するのに使用され、前記方法は、
（ａ）試験用画像を受信し、該試験用画像に基づいて、複数の調整用信号を生成する段階と、
（ｂ）前記複数の調整用信号を記憶する段階と、
（ｃ）前記複数の調整用信号に従って、前記入力信号の組を一組の第１の仮の信号に変換する段階と、
（ｄ）前記複数の調整用信号に従って、前記第１の仮の信号の組を一組の第２の仮の信号に変換する段階と、
（ｅ）前記複数の調整用信号に従って、前記第２の仮の信号の組を出力信号の組に変換する段階と
を備えることを特徴とする方法。
【請求項２１】
前記段階（ａ）は、
（ａ１）前記試験用画像をヒストグラムに変換する段階と、
（ａ２）前記ヒストグラムの濃度レベル分布に従って複数の調整用信号を生成する段階と
を備えることを特徴とする請求項２０記載の方法。
【請求項２２】
前記複数の調整用信号は、複数の第１オフセット信号と複数の第２オフセット信号と複数の利得信号とを備えることを特徴とする請求項２１記載の方法。
【請求項２３】
前記複数の第１オフセット信号は、第１オフセットデータテーブル内に記憶され、前記複数の第２オフセット信号は、第２オフセットデータテーブル内に記憶され、前記複数の利得信号は、利得データテーブル内に記憶されることを特徴とする請求項２２記載の方法。
【請求項２４】
前記段階（ｃ）において、前記入力信号の組は、前記第１オフセットデータテーブル内に記憶された複数の第１オフセット信号に従って、第１の仮の信号の組に変換されることを特徴とする請求項２３記載の方法。
【請求項２５】
前記段階（ｄ）において、前記第１の仮の信号の組は、利得データテーブル内に記憶された複数の利得信号に従って、第２の仮の信号の組に変換されることを特徴とする請求項２３記載の方法。
【請求項２６】
前記段階（ｄ）において、前記第２の仮の信号の組は、第１オフセットデータテーブル内に記憶された複数の第２オフセット信号に従って、出力信号の組に変換されることを特徴とする請求項２３記載の方法。
【発明の詳細な説明】
【技術分野】
【０００１】
本発明は、画像調整装置およびその方法に関し、より詳細には、高速かつ高精度な画像調整の装置と方法に関する。
【背景技術】
【０００２】
従来の映像インターフェイスは、ディジタルＹＣｂＣｒ信号やディジタルＲＧＢ信号やアナログＹＰｂＰｒ信号やアナログＲＧＢ信号やアナログＳビデオ信号やアナログコンポジット映像信号等々の、多種の画像信号を受信することができる。画像信号の各種類は、異なる復号器を必要とし、それ故、送信した回路は異なる。この状況によって、標準的な画像を見せる時の、オフセット値と画像信号の利得値のばらつきが起きる。
【０００３】
回路の違い以外にも、回路基板の違いによって信号のばらつきが起きる。図１を参照すると、図１には、従来技術でＹＣｂＣｒからＲＧＢに変換された信号の濃度レベルのヒストグラムが示される。モニターは、ＲＧＢによる画像を表示し、信号は、ＲＧＢへと変更されなくてはならない。ヒストグラムは、しばしば、画像の特徴を示すのに使用され、その横軸は画像の濃度レベルを表し、その縦軸は対応する濃度レベルの画素数を表し、その領域は画像の総画素数を表す。従って、ヒストグラムは、画像全体の濃度レベルの分布を示している。
【０００４】
図１に示すように、３本の線はそれぞれ対応する赤、緑、青の画像の特徴を表している。濃度レベルの正確な分布範囲は０から２５５までである。実際、信号の変換が起こすオフセットのずれと利得のずれから、濃度レベルの範囲は１６から２３５である。
【０００５】
濃度レベルの分布範囲が不正になるような、オフセットのずれと濃度レベルのずれを起こす原因には、以下のものがある。（１）信号の種類が異なる、（２）画像の処理、（３）信号回路が異なる、（４）電子部品が異なる。これらの原因は、画質に影響を与える、色とコントラストのずれを起こす。
【０００６】
従来技術では、画像を調整するのに多くの時間と労力を費やし、調整の内容は制御が難しい。従って、従来技術は、大量生産をするのには難しい。
【０００７】
よって、本発明の目的は、最も低濃度レベルの過度の明るさを変更して、表示装置の表示濃度レベルを増やすことである。
【発明の開示】
【課題を解決するための手段】
【０００８】
本発明の目的は、画像調整の装置およびその方法を提供することであり、特に、本発明の画像調整装置と方法は、高速の処理速度と正確さを持っている。
【０００９】
本発明のよると、画像調整装置は、複数の組の入力信号を受信するのに使用される映像インターフェイスから送信された一組の入力信号を受信するのに使用される。本画像調整装置は、さらに、前記入力信号の組を自動的に調整して一組の出力信号を生成するのに使用される。
【００１０】
本画像調整装置は、動作モジュールと記憶モジュールとオフセットモジュールと利得モジュールを含んでいる。動作モジュールは、試験用画像を受信して複数の調整用信号を生成するのに使用される。記憶モジュールは、複数の調整用信号記憶するのに使用される。オフセットモジュールは、複数の調整用信号によって入力信号の組を一組の仮の信号に変換するのに使用される。利得モジュールは、複数の調整用信号によって仮の信号の組を出力信号の組に変換するのに使用される。
【００１１】
従って、本画像調整の装置およびその方法は、画像の濃度レベル確定するために、設計回路や試験用画像や共働の計算を利用する。さらに、回路の各々は、濃度レベルを直接に確定する１秒の間にコンピュータ制御によって繰り返して調整される。
【００１２】
従来技術に比して、本発明の画像調整の装置及びその方法は、画像調整の速度と正確さを改善するために、より正確で素早い。
【００１３】
本発明の利点と趣旨とは、添付の図面と共に以下の詳細な説明によって理解されるであろう。
【発明を実施するための最良の形態】
【００１４】
図２を参照すると、図２は、本発明による画像調整装置２０を示す機能ブロック図である。画像調整装置２０は、複数の組の入力信号を受信するのに使用される映像インターフェイス４０から送信された一組の入力信号２２を受信するのに使用される。画像調整装置２０は、さらに、入力信号２２の組を自動的に調整して一組の出力信号３１を生成するのに使用される。画像調整装置２０は、動作モジュール２４と記憶モジュール２６とオフセットモジュール２８と利得モジュール３０を含んでいる。
【００１５】
動作モジュール２４は、画像信号２２に含まれる試験用画像（図示せず）を受信して、その試験用画像をヒストグラムに変換し、ヒストグラムの濃度レベル分布によって複数の調整用信号２５を生成するのに使用される。複数の調整用信号２５には、複数のオフセット信号と複数の利得信号とが含まれる。
【００１６】
一実施形態において、制御器に制御される画像生成器は、本発明の試験用画像を生成する。
【００１７】
図３を参照すると、図３は、図２に示される画像調整装置２０の記憶モジュール２６を示す図である。記憶モジュール２６は、複数の調整用信号２５を記憶するために使用される。記憶モジュール２６には、オフセットデータテーブル４２と利得データテーブル４４が含まれる。オフセットデータテーブル４２は、複数のオフセット信号を記憶するのに使用され、利得データテーブル４４は、複数の利得信号を記憶するのに使用される。オフセットデータテーブル４２の中に記録されるオフセット信号は、オフセット値であり、利得データテーブル４４の中に記録される利得信号は、利得値である。
【００１８】
図２と図３を参照すると、オフセットモジュール２８は、オフセットデータテーブル４４に接続され、調整用信号２５に含まれる複数のオフセット信号に従って、入力信号２２の組を一組の仮の信号２９へ変換する。
【００１９】
利得モジュール３０は、利得データテーブル４４に接続され、複数の調整用信号２５に含まれる複数の利得信号に従って、仮の信号２９の組を出力信号３１の組に変換する。
【００２０】
図４Ａと図４Ｂを参照すると、図４Ａは図２に示される入力信号２２に含まれる試験用画像１２０であり、図４Ｂは図４Ａに示される試験用画像１２０に対応するヒストグラム１２２である。後文に、動作モジュール２４が詳細に説明される。図４Ａに示すように、入力信号２２には、試験用画像１２０が含まれる。試験用画像１２０は、濃度レベルＧｌの画像と濃度レベルＧｈの他の画像とに分けられる。ＧｌとＧｈは、入力信号２２の種類によって知ることができ、入力信号２２の各種類は、例えばＹＣｂＣｒ信号やディジタルＲＧＢ信号やアナログＹＰｂＰｒ信号やアナログＲＧＢ信号やアナログＳ−Ｖｉｄｅｏ信号やアナログコンポジット映像信号であり、それらは対応するＧｌやＧｈの値を持っている。従って、ＧｌとＧｈは所定のものである。
【００２１】
図４Ａに示される実施形態において、入力信号２２はＹＣｂＣｒ信号であり、試験用画像１２０の濃度レベルは所定のものであり、Ｇｌ＝３０，Ｇｈ＝２２４である。図４Ｂに示されるように、画像は映像インターフェイス４０によって入力され、動作モジュール２４によって計算されて対応するヒストグラム１２２を生成する。画像の元の濃度レベル３０は、映像インターフェイス４０によって送信された後ｇｌに変更され、画像の元の濃度レベル２２４は、映像インターフェイス４０内に送信された後にｇｈに変更される。オフセット値と利得値は、以下のように定義され計算される。
（式１）：オフセット１＝Ｇｌ
（式２）：オフセット２＝ｇｌ
（式３）：利得＝（Ｇｈ−Ｇｌ）／（ｇｈ−ｇｌ）
【００２２】
オフセット値と回路の利得値は、３つの式によって得ることができ、画像は、以下の式４によって正確に調整される。式４において、オフセット３＝オフセット２−オフセット１である。
（式４）：濃度レベル’＝［濃度レベル−オフセット３−Ｇｌ（１−１／利得）］×利得
【００２３】
図４Ａにおける試験用画像は、別の回路によって映像インターフェイス４０に入力され、ディジタルＲＧＢの種類で出力される。動作モジュール２４は、オフセット値と各回路の利得値を式１と式２と式３によって計算し、それらの値をそれぞれ、オフセットデータテーブル４２と利得データテーブルの中に記憶する。その後、映像インターフェイス４０の別の回路が出力した画像は、式４によって計算され、モニターに送信されて、従ってモニターは、その画像を良好な画質で表示することができる。
【００２４】
図４Ａと図４Ｂと図５を参照すると、図５は、図４Ａに示される試験用画像１２０の実際のヒストグラム１２４を示した図である。実際、アナログ素子の特性と回路の配置と雑音の影響で、図４Ａで示される試験用画像に従って、オフセットモジュール２８と利得モジュール３０によって生成されるヒストグラムは図５に示されるものであるが、図４Ｂに示されるほど単純では無い。図４Ｂは、前の説明を記述する必要に依った概略図である。言い換えると、実際、ヒストグラムの濃度レベルは特定の領域に分布している。
【００２５】
図５に示されるように、実施形態において、ヒストグラム１２４は画像を２つの部分に分けるが、１つは暗い濃度レベル１２６であり、他方は明るい濃度レベル１２８である。ｇｌとｇｈを妥当に定義するために、ヒストグラムの領域が計算されて、ｇｌとｇｈを決定する。
【００２６】
図５と図６を参照すると、図６は、本発明によってヒストグラム１２４によって判定される濃度レベルを示した図である。図５に示されるように、ヒストグラム１２４において、画像は２つの部分に分けられ、１つは暗い濃度レベル１２６と明るい濃度レベル１２８である。図６に示されるようにｇｌ値はヒストグラム１２４の２５％の領域に等しく、ｇｈ値はヒストグラム１２４の右２５％の領域に等しい。
【００２７】
他の実施形態において、濃度レベルは別のやり方、例えば、全ての濃度レベルの平均値や加重平均法で決定することができる。
【００２８】
画像調整の精度を上げるために、オフセットデータテーブル４２の中に記憶されるオフセット値は、別の時刻に決定された全てのオフセット値の平均値であり、利得データテーブル４４内に記憶される利得値は、別の時刻に決定された全ての利得値の平均値である。一実施形態において、別の時刻に決定された１６個の結果の平均値を計算する方法は、以下の式５と式６である。
【数１】
2005323354.tif 000003
【００２９】
図７と図８を参照すると、図７は、本発明の一実施形態による画像調整装置５０を示す図であり、図８は、図７に示す本発明の一実施形態による画像調整装置５０の記憶モジュール５４を示す図である。一実施形態において、画像調整装置５０は、入力信号の複数の組を受信するのに使用される映像インターフェイス４０から送信された一組の入力信号２２を受信するのに使用される。画像調整装置５０は、さらに、入力信号２２の組を自動的に調整して一組の出力信号６１を生成するのに使用される。画像調整装置５０には、動作モジュール５２と記憶モジュール５４と第１オフセットモジュール５６と利得モジュール５８と第２オフセットモジュール６０が含まれる。
【００３０】
動作モジュール５２は、試験用画像を受信し、試験用画像をヒストグラムに変換し、ヒストグラムの濃度レベル分布によって複数の調整用信号５３を生成するのに使用される。複数の調整用信号５３には、複数の第１オフセット信号と複数の第２オフセット信号と複数の利得信号が含まれる。
【００３１】
オフセット値と回路の利得値は、３つの式から得ることができ、画像は以下の式７で正確に調整する。
（式７）：濃度レベル’＝（濃度レベル−オフセット２）×利得＋オフセット１
【００３２】
図８に示されるように、記憶モジュール５４は、複数の調整用信号５３を記憶するのに使用される。記憶モジュール５４には、第１オフセットデータテーブル６２と第２オフセットデータテーブル６６と利得データテーブル６４とが含まれる。第１オフセットデータテーブル６２は、複数の第１オフセット信号を記憶するのに使用され、第２オフセットデータテーブル６６は、複数の第２オフセット信号を記憶するのに使用され、利得データテーブル６４は、複数の利得信号を記憶するのに使用される。式７のオフセット２は、第１オフセットデータテーブル６２内に記録されるデータを表し、式７のオフセット１は、第２オフセットデータテーブル６６内に記録されるデータを表し、式７の利得は、利得データテーブル６４内に記録される利得信号を表す。
【００３３】
第１オフセットモジュール５６は、第１オフセットデータテーブル６２に接続し、入力信号２２の組を、複数の第１オフセット信号によって、一組の第１の仮の信号の組５７へ変換する。利得モジュール５８は、利得データテーブル６４に接続され、第１の仮の信号の組５７を、複数の利得信号によって、第２の仮の信号の組５９へ変換する。第２オフセットモジュール６０は、第２オフセットデータテーブル６６に接続され、第２の仮の信号の組５９を、複数の第２オフセット信号によって、出力信号の組６１へ変換する。
【００３４】
図７に示される画像調整装置５０は、図２に示される画像調整装置２０によって利用されるよりも、多くのオフセットモジュールと多くのオフセットデータテーブルを利用する。画像調整装置５０は、より多くの装置を必要とし、より多くの調整時間を費やすが、画像調整装置５０は、画像調整装置２０よりも高い精度を持っている。
【００３５】
図９を参照すると、図９は、本発明によって画像を調整するための方法を示すフローチャートである。本発明の画像調整方法は、入力信号の複数の組を受信するのに使用される映像インターフェイスから送信された一組の入力信号を受信するのに使用される。本画像調整方法は、さらに、入力信号の組を自動的に調整して、一組の出力信号を生成する。
【００３６】
最初に、段階Ｓ９０が、所定の方法で試験用画像をヒストグラムに変換するのに実行される。その後に、段階Ｓ９２が実行される。段階Ｓ９２において、複数の調整用信号が、ヒストグラムの濃度レベル分布によって生成される。その次に、段階Ｓ９４が実行される。段階Ｓ９４において、複数のオフセット信号が、オフセットデータテーブルに記憶される。その次に、段階Ｓ９６が実行される。段階Ｓ９６において、複数の利得信号が利得データテーブルに記憶される。その後に、段階Ｓ９８が実行される。段階Ｓ９８において、入力信号の組が、複数のオフセット信号によって、一組の仮の信号へ変換される。その後に、段階Ｓ１００が実行される。段階Ｓ１００において、仮の信号の組が、複数の利得信号によって、一組の出力信号へ変換される。
【００３７】
図１０を参照すると、図１０は、本発明の他の実施形態による、画像を調整する方法を示すフローチャートである。最初に、Ｓ１０２が、所定の方法で試験用画像をヒストグラムに変換するのに実行される。その後に、段階Ｓ１０４が実行される。段階Ｓ１０４において、複数の調整用信号が、ヒストグラムの濃度レベル分布によって生成され、複数の調整用信号には、複数の第１オフセット信号と複数の第２オフセット信号と複数の利得信号とが含まれる。その次に、段階Ｓ１０６とＳ１０８が実行される。段階Ｓ１０６において、複数の第１オフセット信号が、第１オフセットデータテーブルに記憶される。段階Ｓ１０８において、複数の第２オフセット信号が、第２オフセットデータテーブルに記憶される。その次に、段階Ｓ１１０が実行される。段階Ｓ１１０において、複数の利得信号が利得データテーブルに記憶される。その後に、段階Ｓ１１２が実行される。段階Ｓ１１２において、入力信号の組が、複数のオフセット信号によって、一組の第１の仮の信号へ変換される。その後に、段階Ｓ１１４が実行される。段階Ｓ１１４において、第１の仮の信号の組が、複数の利得信号によって、一組の第２の仮の信号へ変換される。その後に、段階Ｓ１１６が実行される。段階Ｓ１１６において、第２の仮の信号の組が、複数の第２のオフセット信号によって、一組の出力信号へ変換される。
【００３８】
本発明の画像調整装置は、動作モジュールによって画像を計算し、オフセットデータテーブルと利得データテーブルによって調整された回路パラメータを記録する。画像調整装置は、さらに、画像のオフセット値をオフセットモジュールによって調整し、画像の利得値を利得モジュールによって調整する。従って、本発明の画像調整装置は、調整の効率と精度を上げて、表示品質を保証することができる。
【００３９】
画像を調整する時に、オフセットモジュールと利得モジュールは、オフ状態にある。試験用画像を入力した後に、オフセット値と回路の利得値は、動作モジュールと計算式によって計算される。その後、オフセット値と利得値はオフセットデータテーブルと利得データテーブルに記憶される。最後に、オフセットモジュールと利得モジュールが開き、よって、入力信号は映像インターフェイスによって入力することができる。従って、画像の調整が始まる。
【００４０】
従って、画像調整の装置およびその方法は、設計回路と試験用画像と共働の計算を利用して、画像の濃度レベルを確定する。さらに、回路の各々は、濃度レベルを直接に確定するのに、１秒間の間、コンピュータ制御によって繰り返して調整される。従来技術と比して、本発明による画像調整の装置及びその方法は、画像調整の速度と精度を上げるために、より正確かつ素早くなっている。
【００４１】
上記の例と説明とによって、本発明の特徴と趣旨が良く述べられると思う。当業者ならば、本装置の多くの変更と修正が、本発明の示すところを保ったまま行うことができることを容易に理解されよう。従って、上記の開示は、添付の特許請求の範囲の境界と範囲によってのみ限定されると解釈されるべきである。
【図面の簡単な説明】
【００４２】
【図１】従来技術による、ＹＣｂＣｒからＲＧＢの色空間に変換された信号の濃度レベルのヒストグラムを示す図である。
【図２】本発明による画像調整装置を示す機能ブロック図である。
【図３】本発明による画像調整装置の記憶モジュールを示す図である。
【図４Ａ】入力信号に含まれる試験用画像の図である。
【図４Ｂ】図４Ａに示された試験用画像に対応するヒストグラムを示す図である。
【図５】実際のヒストグラムを示す図である。
【図６】本発明のヒストグラムによって判定される濃度レベルを示す図である。
【図７】本発明の一実施形態による画像調整装置を示す図である。
【図８】本発明の一実施形態による画像調整装置の記憶モジュールを示す図である。
【図９】本発明による画像を調整する方法を示すフローチャートである。
【図１０】本発明の一実施形態による画像を調整する方法を示す図である。
【符号の説明】
【００４３】
２０，５０…画像調整装置
２２…入力信号
２４…動作モジュール
２５，５３…調整用信号
２６，５４…記憶モジュール
２８…オフセットモジュール
２９…仮の信号
３０，５８…利得モジュール
３１，６１…出力信号
４０…映像インターフェイス
４２…オフセットデータテーブル
４４，６４…利得データテーブル
５２…動作モジュール
５６…第１オフセットモジュール
５７…第１の仮の信号
５９…第２の仮の信号
６０…第２オフセットモジュール
６２…第１オフセットデータテーブル
６６…第２オフセットデータテーブル
【図１】
2005323354.tif 000004
【図２】
2005323354.tif 000005
【図３】
2005323354.tif 000006
【図４Ａ】
2005323354.tif 000007
【図４Ｂ】
2005323354.tif 000008
【図５】
2005323354.tif 000009
【図６】
2005323354.tif 000010
【図７】
2005323354.tif 000011
【図８】
2005323354.tif 000012
【図９】
2005323354.tif 000013
【図１０】
2005323354.tif 000014